(57)【要約】【課題】従来のものは掃除機の内外面に付着した菌類については、繁殖が抑えられるが、床に付着している菌類の繁殖については抑制できないという問題があった。【解決手段】吸口体内に回転清掃体１０４を備えた電気掃除機において、回転清掃体１０４は、筒状の基体３１１とこの基体の外表面から突出するように設けられた清掃部材３０２〜３０５を有し、清掃部材３０２〜３０５に抗菌剤を施した。【選択図】  図４
2005021468.tif 000002
【特許請求の範囲】
【請求項１】
下面に吸込口を有する吸口体下ケースに吸口体上ケースを配設して形成した吸口本体と、該吸口本体に接続された自在継手と、前記吸口本体内に配設された回転清掃体とを有し、
前記回転清掃体は、筒状の基体とこの基体の外表面から突出するように設けられた清掃部材とを有し、
該清掃部材には抗菌剤を施したことを特徴とする電気掃除機の吸口体。
【請求項２】
請求項１において、
前記回転清掃体の清掃部材表面に抗菌剤を塗布、又は混入したことを特徴とする電気掃除機の吸口体。
【請求項３】
吸引力を発生する電動送風機とゴミを集塵する集塵部とを有する掃除機本体と、該掃除機本体に一端が接続されたホースと、該ホースの他端に延長管を介して接続された吸口体とを備えた電気掃除機において、
前記吸口体は、
下面に吸込口を有する吸口体下ケースに吸口体上ケースを配設して形成した吸口本体と、該吸口本体に接続された自在継手と、前記吸口本体内に配設された回転清掃体とを有し、
前記回転清掃体及び前記吸口体を構成する部材に抗菌剤を施したことを特徴とする電気掃除機の吸込口体。
【請求項４】
吸引力を発生する電動送風機とゴミを集塵する集塵部とを有する掃除機本体と、該掃除機本体に一端が接続されたホースと、該ホースの他端に延長管を介して接続された吸口体とを備えた電気掃除機において、
前記吸口体は、
下面に吸込口を有する吸口体下ケースに吸口体上ケースを配設して形成した吸口本体と、該吸口本体に接続された自在継手と、前記吸口本体内に配設された回転清掃体とを有し、
前記回転清掃体，前記吸口体を構成する部材及び前記集塵部に抗菌剤を施したことを特徴とする電気掃除機。
【発明の詳細な説明】
【０００１】
【発明の属する技術分野】
本発明は、刷毛やブレードなどの清掃部材を設けた回転清掃体によって被清掃面からごみや塵埃を掻き出して吸い込む電気掃除機の吸口体およびこの吸口体を使用した電気掃除機に関する。
【０００２】
【従来の技術】
従来の電気掃除機では、空気中に浮遊あるいは落下している塵埃の汚れ成分や微生物を除去する手段が講じられており、例えば、ごみ収納袋やフィルターに消臭剤や脱臭剤、抗菌剤が含まれたものが見られる。
【０００３】
関連するものに、特開平７―１２４０７９号公報（特許文献１）が挙げられ、この特許文献１には掃除機本体、吸い込み口部材およびホース部材の内外面およびキャスター部材に抗菌材を施した電気掃除機が提案されている。
【０００４】
【特許文献１】
特開平７―１２４０７９号公報
【０００５】
【発明が解決しようとする課題】
上記従来技術では、掃除機本体、吸い込み口部材、およびホース部材の内外面およびキャスター部材に抗菌材を塗布もしくは混入しているので、ゴミ収納袋やフィルター以外の掃除機本体内外部、ホース部材および吸い込み部材での菌類の繁殖を抑制することができる。
【０００６】
これによれば、吸引により掃除機本体内部に付着した菌類あるいは、空気中に浮遊している菌類が静電作用により掃除機表面に付着した菌類については、繁殖が抑えられるが、床に付着している菌類の繁殖については抑制できないという問題があった。
【０００７】
また、掃除機で実際にごみや細菌が溜まりやすいあるいは付着しやすい場所は、吸口であり、特に回転ブラシ部である。その部分における抗菌処理が不十分であった。
【０００８】
本発明は、これらの問題を解決し、低コストで、抗菌性のある電気掃除機とその吸口体を提供することにある。
【０００９】
【課題を解決するための手段】
上記目的を達成するために、本発明では、電動送風機と集塵部とを有する掃除機本体と被掃除面に対面する開口部を有して前記集塵部に連通する吸口体とを備え、前記吸口体内に回転清掃体を備えた電気掃除機において、前記回転清掃体は、筒状の基体とこの基体の外表面から突出するように設けられた清掃部材を有し、前記清掃部材に抗菌剤を有したことにより達成できる。
【００１０】
また、前記回転清掃体の清掃部材表面に抗菌剤を塗布、又は混入したことにより達成できる。
【００１１】
また、前記回転清掃体及び前記吸口体並びに吸口体を構成する部材に抗菌剤を有したことにより達成できる。
【００１２】
また、前記回転清掃体及び前記吸口体と掃除機本体の集塵部に抗菌剤を有したことにより達成できる。
【００１３】
【発明の実施の形態】
［形態例１］
以下、本発明の第１の形態例を図面に従い詳細に説明する。
【００１４】
図１に本形態例による吸口体の内部構成を表す平面図を示す。図１において、１０１は吸口体２０６の下側の外郭を構成し、下面に吸込口を有する吸口体下ケースであり、この吸口体下ケース１０１の上方に後述する吸口体上ケースを配設することにより吸口本体を形成している。１０２は吸口体本体内部と外部（掃除機本体）とを連通する空気通路が形成された自在継手のうち吸口体本体に対して上下方向に回動可能な第１の接続管、１０３は自在継手のうち前記第１の接続管に対して左右方向に回動可能な第２の接続管、１０４は回転清掃体，１０５は回転清掃体１０４を駆動するための電動機，１０６は電動機１０５の駆動を制御する回路基板，１０７は電動機１０５と回転清掃体１０４間を掛け渡す駆動ベルト、１０８、１０９は接触部材、１１０、１１１は導電性繊維である。
【００１５】
図２に本形態例による電気掃除機の外観図を示す。図２において、１は電気掃除機本体、２はホース体、６はハンドルグリップ、３は手元スイッチ、４は延長管、５は吸口体本体である。電気掃除機本体の外郭を形成する本体ケーシングの内側には、吸引力を発生する電動送風機と、この電動送風機の吸引側に集塵室が設けられる。
【００１６】
なお、図示してはいないが、ホース体２および延長管４に、吸口体の電動機１０５に供給する電源線を設けており、第１の接続管１０２および第２の接続管１０３には、延長管４を接続した際に、回路基板１０６に接続するリード線を設けている。さらに、回路基板１０６と電動機１０５は、吸口下ケース１０１内に配設したリード線にて接続する。
【００１７】
図３に本形態例による吸口体の平面図のＡ−Ａ断面図を示す。図３において、３０１は吸口体上ケース、３０２〜３０５は回転清掃体の清掃部材、３０６は清掃部材３０２〜３０５を固定する筒状基体、３０７は回転清掃体室である。
【００１８】
吸口体下ケース１０１の上側には、吸口体上ケース３０１が回転清掃体１０４を覆うように、吸口体下ケース１０１に対して着脱可能に設けられ、この吸口体上ケースと吸口体下ケース１０１とで、回転清掃体１０４が収容される回転清掃体室３０７を構成する。また、吸口体下ケース１０１の被清掃面と対向する面には、回転清掃体１０４と被清掃面との接触を可能とし、被掃除面上の塵埃を吸引するための開口１１８が形成されている。
【００１９】
回転清掃体１０４の清掃部材３０２〜３０５は、繊維等による刷毛の他、軟質のブレード状のものを用いて構成することができ、刷毛やブレードをそれぞれ単独で、或いは刷毛とブレードとを混在させて構成することができる。また、筒状基体３０６を形成する部材で一体に成形した突出部で清掃部材を構成してもよい。いずれにしても、清掃部材は筒状基体３０６の外周面から外方に突出するように構成される。
【００２０】
この清掃部材３０２〜３０５には、抗菌作用（細菌、黴などの微生物の繁殖を阻止または抑制する機能をいう）を有する抗菌剤を混入また塗布している。上記抗菌剤は、一般に無公害で飲料用浄水器などに使用されている銀イオン、銅イオン、亜鉛イオンでもよい。本形態例では、ナイロン刷毛に銀イオンを含有するゼオライト（シナネン社：ゼオミック）をアクリルコーティングしている。
【００２１】
次に本形態例の動作を説明する。掃除機使用者がハンドルグリップ６付近に配置されたスイッチ操作部３を操作すると、操作されたスイッチに従った動作モードで電気掃除機本体１内の電動送風機が運転する。電動送風機によって発生した吸引力は、ホース体２、延長管４を通って吸口体５に到達する。それと同時に、ホース体２および延長管４に設けられた電源線から供給された電源が、回路基板１０６を介して電動機１０５を駆動し、回転清掃体１０４が回転する。
【００２２】
この回転清掃体１０４の清掃部材３０２〜３０５と接触するように、接触部材１０８（１０９）が設置されている。
【００２３】
図４のように、被掃除面で吸口体５を移動させると、吸口体下ケース１０１と被掃除面との間から塵埃を含んだ空気は、床面開口部１１８より回転清掃体室３０７に流入し、回転清掃体１０４によって塵埃を掻きだして延長管、ホースを介して電気掃除機本体に吸引される。
【００２４】
このとき、動物を飼っている家庭などでは、被掃除面に、塵埃以外にダニの死骸や水分を含んだ埃などにより、細菌が付着して、繁殖している場合が多い。また、白癬菌を持つ人が素足で歩くことによって、菌をばらまいたり、付着させている場合がある。
【００２５】
上記のような場合において、本形態例では、回転清掃体１０４の清掃部材３０２〜３０５の回転力によって、塵埃を掻きだすと同時に、付着している菌類１１を拭き取ることができる。
【００２６】
掻きだされた菌類は回転清掃体１０４の清掃部材３０２〜３０５に付着するか吸口体５の内面に付着し、それ以外は掃除機本体へ搬送される。本形態例では、回転清掃体１０４の清掃部材３０２〜３０５に抗菌処理を施しているので、塵埃を掻きだすだけでなく、清掃部材３０２〜３０５に付着した細菌の繁殖を抑えることができる。
【００２７】
したがって、ごみや細菌が最も溜まりやすい回転清掃体の衛生化が図れる。
【００２８】
さらに、被掃除面に付着した菌類１１を清掃体の回転力によって剥離させるので、被掃除面の細菌の繁殖を抑制することができる。
【００２９】
清掃部材３０２〜３０５に用いている抗菌剤（ゼオミック）は、抗菌性を示す銀イオン等が骨格構造の内部に結合して安定している。そのため、水溶剤などによって溶出することがほとんどなく、抗菌作用が長期に渡って持続する。また、水洗いが可能である。
【００３０】
ナイロン刷毛へのゼオミック含有量は、１本あたり約０．００５ｇであり、ゼオミック約１％中０．０１５％が銀イオン成分である。
【００３１】
なお、抗菌性を確認するために、ＪＩＳＺ２８０１（フィルム密着法）に準ずる方法で試験を行った。この結果、図５に示すように、従来の抗菌なしの刷毛は、黄色ブドウ球菌は２４時間後もほとんど減少していないのに対し、本形態例の抗菌ありの刷毛では、黄色ブドウ球菌は２４時間後には、球菌数が４桁減少しており、抗菌効果があることを実証した。
【００３２】
以上のように、清掃部材にわずかな量の銀イオン成分を混入することで抗菌効果が得られるので、コストも大幅に増えることはない。
【００３３】
また、清掃部材であるナイロンの基本物性を変化させることもないので、機械力による磨耗の心配ない。
【００３４】
電気掃除機の収納時は、掃除本体後方を下部（設置面）に向け縦方向に置き、吸口体は延長管に設置してあるフック等により、本体の上部付近の凹部に勘合し、本体と並んで置かれる。
【００３５】
吸口体５は、吸口床面側が床等など向いて収納されるので、回転清掃体１０４の清掃部材３０２〜３０５が床と接触して置かれることになる。したがって、収納している時でも吸口体が接触している部分の床上の抗菌が可能となる。
【００３６】
このとき、吸口体５の固定刷毛や前後車輪にも抗菌剤を混入することにより、より一層の床面の抗菌化が図られ、衛生的になる。
【００３７】
また、本形態例では、回転清掃体１０４の回転により、清掃部材３０２〜３０５が接触部材１０８（１０９）と摺擦し、静電気を発生させ、清掃部材３０２〜３０５が正極に、接触部材１０８（１０９）が負極に帯電する。
【００３８】
接触部材１０８に発生した負電荷は、上ケース３０１や下ケース１０１を通って、導電性繊維１１０に到達する。そして、この導電性繊維１１０の負電荷と正極に帯電した回転清掃体１０４の摺擦部材３０２〜３０５との間でコロナ放電が発生する。
【００３９】
このコロナ放電により放電した負電荷は、空気中の酸素を電離してイオン化し、マイナスイオンを発生させる。
【００４０】
一般に被掃除面上の塵埃は正極に帯電している場合が多いことが知られているが、吸口体を前後に移動させて清掃を行うときに、この発生したマイナスイオンが回転清掃体室３０７の床下開口部より放出し、被掃除面上の塵埃を電気的に中和し、これにより、被掃除面からの塵埃の剥離が容易になる。
【００４１】
剥離した塵埃は、電気掃除機本体１内の電動送風機により発生した吸引力により運ばれ、延長管４、ホース２の内部に形成された管状の空気通路を通って掃除機本体１に吸引される。
【００４２】
また、細菌の表面電荷も正極に帯電していることが多く、マイナスイオンの発生により、より効果的に掻き採ることができる。
【００４３】
［形態例２］
以下、本発明の第２の形態例を図面に従い詳細に説明する。
【００４４】
図６に本形態例による吸口体４００の断面図を示す。図６において、４０１は吸口体上ケース、４０２は吸口体上ケース、３０２〜３０５は回転清掃体の清掃部材、３０６は清掃部材３０２〜３０５を固定する筒状基体、３０７は回転清掃体室である。
【００４５】
吸口体下ケース４０１の上側には、吸口体上ケース４０２が回転清掃体１０４を覆うように、吸口体下ケース４０１に対して着脱可能に設けられ、この吸口体上ケース４０２と吸口体下ケース４０１とで、回転清掃体１０４が収容される回転清掃体室３０７を構成する。また、吸口体下ケース１０１の被清掃面と対向する面には、回転清掃体１０４と被清掃面との接触を可能とし、被掃除面上の塵埃を吸引するための開口１１８が形成されている。
【００４６】
回転清掃体１０４の清掃部材３０２〜３０５は、［形態例１］同様の構成であり、抗菌作用を有する抗菌剤を混入また塗布している。
【００４７】
さらに、吸口体上ケース４０２と吸口体下ケース４０１には、抗菌作用を有する抗菌剤を混入また塗布している。本形態例では、吸口体上ケース４０２と吸口体下ケース４０１は、アクリロニトリル・ブタジエン・スチレン樹脂（ＡＢＳ）で形成しており、ジンク系無機抗菌剤を練り込んでいる。
【００４８】
次に本形態例の動作を説明する。掃除機使用者がハンドルグリップ６付近に配置されたスイッチ操作部３を操作すると、操作されたスイッチに従った動作モードで電気掃除機本体１内の電動送風機が運転する。電動送風機によって発生した吸引力は、ホース体２、延長管４を通って吸口体５に到達する。それと同時に、ホース体２および延長管４に設けられた電源線から供給された電源が、回路基板１０６を介して電動機１０５を駆動し、回転清掃体１０４が回転する。
【００４９】
被掃除面で吸口体４００を移動させると、吸口体下ケース４０１と被掃除面との間から塵埃を含んだ空気は、床面開口部１１８より回転清掃体室３０７に流入し、回転清掃体１０４の回転力によって塵埃とともに菌類１１を掻きだして延長管、ホースを介して電気掃除機本体に吸引される。
【００５０】
掻きだされた菌類１１は、回転清掃体１０４の清掃部材３０２〜３０５に付着するか吸口体４００の内面に付着し、それ以外は掃除機本体へ搬送される。本形態例では、回転清掃体１０４の清掃部材３０２〜３０５と吸口体下ケース４０１、吸口体上ケース４０２に抗菌処理を施しているので、塵埃を掻きだすだけでなく、清掃部材３０２〜３０５に付着した細菌の繁殖を抑えると同時に、吸口体下ケース４０１、吸口体上ケース４０２に付着した細菌の繁殖を抑えることができる。
【００５１】
よって、吸口体４００の内部を完全抗菌化することができる。
【００５２】
また、本形態例では回転清掃体と吸口体を構成する吸口体下ケース４０１及び吸口体上ケース４０２とにそれぞれ異なる抗菌剤を施しているので、広範囲の種類の菌類に抗菌作用を発揮することが出来る。
【００５３】
［形態例３］
以下、本発明の第３の形態例を図面に従い詳細に説明する。図７は、その掃除機本体の斜視図である。図８は、その掃除機本体の上蓋を開いた状態を示す斜視図である。図９は、その掃除機本体内の空気の流れを示す模式図である。
【００５４】
掃除機本体１は、電動送風機（後述する）を内蔵し、この電動送風機の吸気力によって吸口５から吸気することによって該吸気流に乗せて塵埃を吸い込み、吸い込んだ含塵空気を延長管４と手元操作部３とホース２を介して掃除機本体１に吸い込ませ、サイクロン分離式の集塵部（後述する）で除塵（集塵）した後に機外に排気する。
【００５５】
掃除機本体１は、図７〜図９に示すように、下ケース２０１と上蓋２０２の間にサイクロン分離筒２０４と集塵ケース２０５を着脱可能に装着し、下ケース２０１と上ケース２５０の間に第２の補助フィルター２１２と電動送風機２０７とコードリール（図示せず）を内蔵する。これらをまとめて集塵室２０３とする。
【００５６】
この掃除機本体１は、含塵空気をホース２を介して、図９に示すように、入口管２１５より、サイクロン分離筒２０４に流し入れて旋回させることにより遠心分離作用で塵埃を分離して、上部の連通口２１７を通して集塵ケース２０５に塵埃を搬送し、サイクロン分離筒２０４からの排気は内筒２３１を通って、サイクロン分離筒２０４の下部に設けた排気口２２０に排気される。また、一部の空気は集塵ケース２０５に流れ込み、第１の補助フィルター２０６によって塵埃を捕捉する。集塵ケース２０５の排気は第１の補助フィルター２０６後方のサイクロン部流出口１４６から第２の補助フィルター２１２を通って電動送風機２０７に吸込ませる。この時サイクロン分離筒２０４からの排気も前記排気口２２０から連絡通路２４５を通過し、前記サイクロン部流出口２４６を流出し、前記集塵ケース２０５の排気と合せて電動送風機２０７に吸込ませる。この電動送風機２０７からの排気はフィルター２０８を介して、一部は排気流路（図示せず）を介し、一部はコードリールに流してこれらを冷却し、その後に機外に放出させる。
【００５７】
集塵ケース２０５の上部の取っ手２２３を持って、集塵ケース２０５を取り出すことができ、集塵ケース２０５内の第１の補助フィルター２０６を開けることによって、集塵ケース２０５内の塵埃を廃棄する。
【００５８】
さらに、サイクロン分離筒２０４の内部が汚れた場合には、上部の取っ手２２５を持って、下ケース２０１から持ち上げ、サイクロン分離筒２０４を分解して清掃することができる。
【００５９】
ここで、サイクロン分離筒２０４の内表面または、集塵ケース２０５の内表面にクリヤー系ＵＶ硬化型コーティング処理している。このため、前記サイクロン分離筒２０４内に塵埃が流入し、塵埃が遠心分離され、前記集塵ケース２０５に流入する際に、このサイクロン分離筒２０４内の表面や、集塵ケース２０５の内面に塵埃が衝突し、こすれた場合でも、表面に傷が入りにくく、汚れを付着しにくくするととともに耐擦性，耐汚染性を向上させることができる。このため、サイクロン分離筒２０４の外筒２３５や、集塵ケース２０５を透明のプラスチック材で製作した場合でも、塵埃のたまり具合を目視で確認することができる。
【００６０】
ここで、サイクロン分離筒２０４と集塵ケース２０５は、アクリロニトリル・ブタジエン・スチレン樹脂（ＡＢＳ）で形成しており、ジンク系無機抗菌剤を練り込んでいる。
【００６１】
また、第１の補助フィルター２０６は、ポリプロピレン樹脂（ＰＰ）で形成され、金属酸化物無機抗菌剤を練り込み、第２の補助フィルター２１２には、セルロース系不織布を用い、酵素成分を繊維表面処理している。
【００６２】
これらにより、塵埃および細菌の触れる個所を全て抗菌素材で包むことになるので、抗菌集塵室化が図れる。
【００６３】
次に本形態例の動作を説明する。掃除機使用者がハンドルグリップ６付近に配置されたスイッチ操作部３を操作すると、操作されたスイッチに従った動作モードで電気掃除機本体１内の電動送風機が運転する。電動送風機によって発生した吸引力は、ホース体２、延長管４を通って吸口体５に到達する。それと同時に、ホース体２および延長管４に設けられた電源線から供給された電源が、回路基板１０６を介して電動機１０５を駆動し、回転清掃体１０４が回転する。
【００６４】
被掃除面で吸口体４００を移動させると、吸口体下ケース４０１と被掃除面との間から塵埃を含んだ空気は、床面開口部１１８より回転清掃体室３０７に流入し、回転清掃体１０４の回転力によって塵埃とともに菌類１１を掻きだして延長管、ホースを介して電気掃除機本体に吸引される。
【００６５】
掻きだされた菌類１１は、回転清掃体１０４の清掃部材３０２〜３０５と吸口体４００の内面に付着するが、それ以外は掃除機本体へ搬送される。
【００６６】
吸口体を通過した菌類は、塵埃と共に増殖する可能性があるので、掃除機本体の集塵部で抗菌することが望ましい。
【００６７】
本形態例では、回転清掃体１０４の清掃部材３０２〜３０５と吸口体下ケース４０１、吸口体上ケース４０２、集塵部２０３を構成するサイクロン分離筒２０４と集塵ケース２０５、そして第１の補助フィルター２０６、第２の補助フィルター２１２に抗菌処理を施しているので、塵埃を掻きだすだけでなく、清掃部材３０２〜３０５に付着した細菌の繁殖を抑えると同時に、吸口体下ケース４０１、吸口体上ケース４０２に付着した細菌の繁殖を抑えることができる。さらには、集塵部２０３内面に付着した細菌の繁殖を抑えることができる。
【００６８】
以上により、吸口体および回転清掃体、そして集塵部までの塵埃が触れる個所すべてを抗菌素材で包むことになるので、フル抗菌の電気掃除機を提供することができる。
【００６９】
【発明の効果】
本発明によれば、回転清掃体の清掃部材に抗菌処理を施しているので、塵埃を掻きだすだけでなく、清掃部材に付着した細菌の繁殖を抑えることができる。
【００７０】
また、被掃除面に付着した菌類を剥離させるので、被掃除面の細菌の繁殖を抑制することができる。
【００７１】
回転清掃体の清掃部材以外にと吸口体下ケース、吸口体上ケース、集塵部を構成するサイクロン分離筒と集塵ケース、そして第１の補助フィルター、第２の補助フィルターに抗菌処理を施すことにより、塵埃および細菌の触れる個所を全て抗菌素材で包むことになるので、高い抗菌能力を発揮する電気掃除機が提供できる。
【図面の簡単な説明】
【図１】本発明の第１の形態例による吸口体の上面図である。
【図２】本発明による電気掃除機の外観図である。
【図３】図１のＡ−Ａ断面図である。
【図４】本発明の第１の形態例による吸口体の断面図である。
【図５】本形態例による試験結果の図である
【図６】本発明の第２の形態例による吸口体の断面図である。
【図７】図２に示した電気掃除機における掃除機本体の斜視図である。
【図８】図７に示した掃除機本体の上蓋を開いた状態を示す斜視図である。
【図９】空気の流れを示す模式図である。
【符号の説明】
１…掃除機本体、５…吸口本体、１０１…吸口体下ケース、１０４…回転清掃体、２０３…集塵部、２０４…サイクロン分離筒、２０５…集塵ケース、２０６…第１の補助フィルター、２１２…第２の補助フィルター、３０１…吸口体上ケース、３０２，３０３，３０４，３０５…清掃部材。
【図１】
2005021468.tif 000003
【図２】
2005021468.tif 000004
【図３】
2005021468.tif 000005
【図４】
2005021468.tif 000006
【図５】
2005021468.tif 000007
【図６】
2005021468.tif 000008
【図７】
2005021468.tif 000009
【図８】
2005021468.tif 000010
【図９】
2005021468.tif 000011